(57)【要約】【課題】先に表示していた画像の一部と、その後に表示する画像の一部とを同時に表示可能とし、表示位置等の表示態様を高い自由度で自在に調整できる表示装置、表示装置の制御方法、及びプログラムを提供する。【解決手段】入力画像を表示するプロジェクター１１は、スクリーンＳＣに投射中の第１の入力画像に対して、投射を続ける維持領域が指定された場合に、投射中の第１の入力画像全体を記憶し、記憶した画像から維持領域を抽出し、抽出した維持領域を第１の入力画像より後に入力された第２の入力画像に重畳して重畳画像を生成し、生成した重畳画像をスクリーンＳＣに投射する。【選択図】図１
2012253543.tif 000002
【特許請求の範囲】
【請求項１】
入力画像を表示する表示装置であって、
前記入力画像を表示する表示手段と、
前記表示手段により表示されている第１の入力画像に対して、表示を続ける維持領域を指定する指示手段と、
前記指示手段により前記第１の入力画像の前記維持領域が指定された場合に、表示中の前記第１の入力画像全体を記憶する画像記憶手段と、
前記画像記憶手段に記憶された前記前記第１の入力画像から前記指示手段により指定された前記維持領域を抽出し、抽出した前記維持領域を前記第１の入力画像より後に入力された第２の入力画像に重畳して重畳画像を生成する重畳処理手段と、
前記重畳処理手段により生成された前記重畳画像を前記表示手段により表示させる表示制御手段と、
を備えることを特徴とする表示装置。
【請求項２】
前記重畳処理手段は、前記画像記憶手段に記憶された前記第１の入力画像から抽出した前記維持領域を、前記指示手段により指定されたときと同じ位置に配置して、前記第２の入力画像に重畳することを特徴とする請求項１記載の表示装置。
【請求項３】
前記画像記憶手段に記憶された前記第１の入力画像毎に、前記指示手段により指定された前記維持領域の位置を示す維持領域情報を記憶する維持領域情報記憶手段を備え、
前記重畳処理手段は、前記維持領域情報記憶手段に記憶された前記維持領域情報に基づいて、前記画像記憶手段に記憶された前記第１の入力画像から前記維持領域を抽出することを特徴とする請求項１または２記載の表示装置。
【請求項４】
前記指示手段は、前記表示手段により前記重畳画像の表示中に、前記維持領域の位置変更を指示可能に構成され、
前記重畳処理手段は、前記指示手段により前記維持領域の位置変更が指示された場合に、前記指示手段の指示に従って前記維持領域の位置を変更して新たに前記重畳画像を生成することを特徴とする請求項１から３のいずれかに記載の表示装置。
【請求項５】
前記画像記憶手段は複数の前記第１の入力画像を記憶可能に構成され、
前記重畳処理手段は、前記画像記憶手段に記憶された複数の前記第１の入力画像から、前記指示手段により指定された前記維持領域をそれぞれ抽出し、抽出した複数の前記維持領域を前記入力画像に重畳して前記重畳画像を生成することを特徴とする請求項１から４のいずれかに記載の表示装置。
【請求項６】
前記重畳処理手段は、前記画像記憶手段に記憶された複数の前記第１の入力画像から抽出した複数の前記維持領域を、互いに重ならないように配置して前記第２の入力画像に重畳して、前記重畳画像を生成することを特徴とする請求項５記載の表示装置。
【請求項７】
入力画像を表示する表示装置の制御方法であって、
表示中の第１の入力画像に対して、表示を続ける維持領域が指定された場合に、表示中の前記第１の入力画像全体を記憶し、
記憶した前記第１の入力画像から前記維持領域を抽出し、抽出した前記維持領域を前記第１の入力画像より後に入力された第２の入力画像に重畳して重畳画像を生成し、
生成した前記重畳画像を前記表示手段により表示すること、
を特徴とする表示装置の制御方法。
【請求項８】
入力画像を表示する表示装置を制御するコンピューターが実行可能なプログラムであって、
前記コンピューターを
表示中の第１の入力画像に対して、表示を続ける維持領域が指定された場合に、表示中の前記第１の入力画像全体を画像記憶手段に記憶させ、前記画像記憶手段に記憶された前記第１の入力画像から前記指示手段により指定された前記維持領域を抽出し、抽出した前記維持領域を前記第１の入力画像より後に入力された第２の入力画像に重畳して重畳画像を生成する重畳処理手段と、
前記重畳処理手段により生成された前記重畳画像を前記表示手段により表示させる表示制御手段と、
して機能させることを特徴とするプログラム。
【発明の詳細な説明】
【技術分野】
【０００１】
本発明は、画像を表示する表示装置、表示装置の制御方法、及び、プログラムに関する。
【背景技術】
【０００２】
従来、表示領域を複数に分割して異なる複数の画像を表示する態様で表示を行う表示装置が知られていた。この種の装置の典型的な例としては、複数の入力画像を並べて表示する、いわゆる２画面表示が知られている。しかしながら、２画面表示は、複数の入力系統から同時に入力される複数の画像を同時に表示するものであり、例えば、過去に表示していた画像とその後に表示される画像の一部とを同時に表示することはできないし、複数の入力系統から画像が入力されていることが必要である。そこで、１つの入力系統を用いる場合であっても、複数の画像を同時に表示可能とする装置が提案された（例えば、特許文献１参照）。特許文献１の表示装置は、入力された画像の一部について書き換えを禁止して保持領域とし、他の部分は入力画像に応じて書き換える書換領域とし、この保持領域と書換領域とを用いて一画像分の画像データを形成することで、先に表示していた画像の一部と、その後に表示する画像の一部とを同時に表示できる。
【先行技術文献】
【特許文献】
【０００３】
【特許文献１】特開２００９−７５５０４号公報
【発明の概要】
【発明が解決しようとする課題】
【０００４】
ところで、複数の画像を同時に表示する場合、特許文献１記載の装置のように、画像の一部を保持したまま他の部分を書き換える態様だけでなく、例えば表示を更新しない部分を移動させる、多数の画像を同時に表示するなど、表示態様の自由度を高めることが望まれる。しかしながら、特許文献１記載の装置では保持領域は書き換えが禁止されるため、自由度を高めるには限界があった。
本発明は、上述した従来の技術が有する課題を解消し、先に表示していた画像の一部と、その後に表示する画像の一部とを同時に表示可能とし、表示位置等の表示態様を高い自由度で自在に調整できる表示装置、表示装置の制御方法、及びプログラムを提供することを目的とする。
【課題を解決するための手段】
【０００５】
上記目的を達成するために、本発明は、入力画像を表示する表示装置であって、前記入力画像を表示する表示手段と、前記表示手段により表示されている第１の入力画像に対して、表示を続ける維持領域を指定する指示手段と、前記指示手段により前記第１の入力画像の前記維持領域が指定された場合に、表示中の前記第１の入力画像全体を記憶する画像記憶手段と、前記画像記憶手段に記憶された前記第１の入力画像から前記指示手段により指定された前記維持領域を抽出し、抽出した前記維持領域を前記第１の入力画像より後に入力された第２の入力画像に重畳して重畳画像を生成する重畳処理手段と、前記重畳処理手段により生成された前記重畳画像を前記表示手段により表示させる表示制御手段と、を備えることを特徴とする。
本発明によれば、表示されている第１の入力画像に対して維持領域が指定されると、この第１の入力画像全体を記憶するとともに、記憶した第１の入力画像から指定された維持領域を抽出して、その後に入力される第２の入力画像に重畳して表示するので、第２の入力画像と、それ以前に表示されていた第１の入力画像の一部とを同時に表示できる。また、維持領域が指定された場合に画像全体を記憶するので、記憶した第１の入力画像において、指定された維持領域以外の部分を後から処理することも容易であり、例えば維持領域を変更することも可能である。これにより、入力画像と、その後に表示する入力画像とを同時に表示することができ、表示位置等の表示態様を高い自由度で自在に調整できる。
【０００６】
また、本発明は、上記表示装置において、前記重畳処理手段は、前記画像記憶手段に記憶された前記第１の入力画像から抽出した前記維持領域を、前記指示手段により指定されたときと同じ位置に配置して、前記第２の入力画像に重畳することを特徴とする。
本発明によれば、維持領域として指定された領域の画像を、指定されたときと同じ位置に配置して第２の入力画像に重畳して表示するので、維持領域を指定したユーザーの意図に沿った画像を表示できる。
【０００７】
また、本発明は、上記表示装置において、前記画像記憶手段に記憶された前記第１の入力画像毎に、前記指示手段により指定された前記維持領域の位置を示す維持領域情報を記憶する維持領域情報記憶手段を備え、前記重畳処理手段は、前記維持領域情報記憶手段に記憶された前記維持領域情報に基づいて、前記画像記憶手段に記憶された前記第１の入力画像から前記維持領域を抽出することを特徴とする。
本発明によれば、維持領域が指定された場合に表示されていた第１の入力画像において、維持領域の位置を容易に特定して抽出することが可能である。また、維持領域情報を変更することにより、記憶した第１の入力画像から当初は維持領域として指定されなかった領域を維持領域として抽出することも可能であり、より高い自由度で表示態様を調整できる。
【０００８】
また、本発明は、上記表示装置において、前記指示手段は、前記表示手段により前記重畳画像の表示中に、前記維持領域の位置変更を指示可能に構成され、前記重畳処理手段は、前記指示手段により前記維持領域の位置変更が指示された場合に、前記指示手段の指示に従って前記維持領域の位置を変更して新たに前記重畳画像を生成することを特徴とする。
本発明によれば、入力画像に重畳された維持領域の位置を変更することができるので、例えば、維持領域により隠れてしまう部分を視認できるように、表示態様を自由に調整できる。
【０００９】
また、本発明は、上記表示装置において、前記画像記憶手段は複数の前記第１の入力画像を記憶可能に構成され、前記重畳処理手段は、前記画像記憶手段に記憶された複数の前記第１の入力画像から、前記指示手段により指定された前記維持領域をそれぞれ抽出し、抽出した複数の前記維持領域を前記第２の入力画像に重畳して前記重畳画像を生成することを特徴とする。
本発明によれば、複数の第１の入力画像から抽出した複数の維持領域を、第２の入力画像に重畳して表示できる。また、複数の第１の入力画像の各々について画像全体を記憶するので、各画像において維持領域を変更する等の細かい調整が可能となる。
【００１０】
また、本発明は、上記表示装置において、前記重畳処理手段は、前記画像記憶手段に記憶された複数の前記画像から抽出した複数の前記維持領域を、互いに重ならないように配置して前記入力画像に重畳して、前記重畳画像を生成することを特徴とする。
本発明によれば、複数の維持領域を、各々の視認性を損なわないように配置して表示できる。
【００１１】
また、上記目的を達成するために、本発明は、入力画像を表示する表示装置の制御方法であって、表示中の第１の入力画像に対して、表示を続ける維持領域が指定された場合に、表示中の前記第１の入力画像全体を記憶し、記憶した前記第１の入力画像から前記維持領域を抽出し、抽出した前記維持領域を前記第１の入力画像より後に入力された第２の入力画像に重畳して重畳画像を生成し、生成した前記重畳画像を前記表示手段により表示することを特徴とする。
本発明の制御方法を実行することにより、表示装置によって表示されている第１の入力画像に対して維持領域が指定されると、この第１の入力画像全体を記憶するとともに、記憶した第１の入力画像から指定された維持領域を抽出して、その後に入力される第２の入力画像に重畳して表示するので、第２の入力画像と、それ以前に表示されていた第１の入力画像の一部とを同時に表示できる。また、維持領域が指定された場合に第１の入力画像全体を記憶するので、記憶した第１の入力画像において指定された維持領域以外の部分を後から処理することも容易であり、例えば維持領域を変更することも可能である。これにより、入力画像と、その後に表示する入力画像とを同時に表示することができ、表示位置等の表示態様を高い自由度で自在に調整できる。
【００１２】
また、上記目的を達成するために、本発明は、入力画像を表示する表示装置を制御するコンピューターが実行可能なプログラムであって、前記コンピューターを、表示中の第１の入力画像に対して、表示を続ける維持領域が指定された場合に、表示中の前記第１の入力画像全体を画像記憶手段に記憶させ、前記画像記憶手段に記憶された前記第１の入力画像から前記指示手段により指定された前記維持領域を抽出し、抽出した前記維持領域を前記第１の入力画像より後に入力された第２の入力画像に重畳して重畳画像を生成する重畳処理手段と、前記重畳処理手段により生成された前記重畳画像を前記表示手段により表示させる表示制御手段として機能させることを特徴とする。
本発明のプログラムを実行することにより、表示装置によって表示されている第１の入力画像に対して維持領域が指定されると、この第１の入力画像全体を記憶するとともに、記憶した第１の入力画像から指定された維持領域を抽出して、その後に入力される第２の入力画像に重畳して表示するので、第２の入力画像と、それ以前に表示されていた第１の入力画像の一部とを同時に表示できる。また、維持領域が指定された場合に第１の入力画像全体を記憶するので、記憶した第１の入力画像において指定された維持領域以外の部分を後から処理することも容易であり、例えば維持領域を変更することも可能である。これにより、入力画像と、その後に表示する入力画像とを同時に表示することができ、表示位置等の表示態様を高い自由度で自在に調整できる。
【発明の効果】
【００１３】
本発明によれば、入力画像と、その後に表示する入力画像とを同時に表示することができ、表示位置等の表示態様を高い自由度で自在に調整できる。
【図面の簡単な説明】
【００１４】
【図１】本発明を適用した実施形態に係る表示システムの概略構成を示す図である。
【図２】表示システムの機能的構成を示すブロック図である。
【図３】投射中の画面において維持領域を指示する動作の例を示す図であり、（Ａ）はスクリーンに投射された投射画像の例を示し、（Ｂ）はスクリーン上の投射画像にポインターが表示されて維持領域の指示が開始された状態を示し、（Ｃ）は維持領域の指示が完了した状態を示す。
【図４】重畳画像を表示する動作の例を示す図であり、（Ａ）はＰＣのモニターに表示された画面を示し、（Ｂ）はＰＣからプロジェクターに入力される入力画像の例を示し、（Ｃ）はスクリーンに重畳画像が投射された状態を示す。
【図５】重畳画像において維持領域を移動させる動作の例を示す図であり、（Ａ）は移動前の状態を示し、（Ｂ）は移動後の状態を示す。
【図６】複数の維持領域を重畳して重畳画像を表示する動作の例を示す図であり、（Ａ）は投射画像において維持領域が指示される状態を示し、（Ｂ）は入力画像の例を示し、（Ｃ）は２つの維持領域が重畳された重畳画像がスクリーンに投射された状態を示す。
【図７】プロジェクターの動作を示すフローチャートである。
【図８】維持領域が変更される場合の画面の遷移例を示す図であり、（Ａ）は変更前、（Ｂ）は変更後を示す。
【発明を実施するための形態】
【００１５】
以下、図面を参照して本発明の実施形態について説明する。
図１は、本発明を適用した表示装置としてのプロジェクター１１と、プロジェクター１１に画像を供給する画像供給装置としてのＰＣ（Personal Computer）１３とを接続して構成される表示システム１０の概略構成を示す図である。
ＰＣ１３は、オペレーティングシステム上で、文書編集ソフトや表計算ソフト等のアプリケーションプログラムを実行し、文書データ等を処理する。ＰＣ１３は、液晶ディスプレイ等のモニター１４を備え、このモニター１４に、実行中のプログラムに係る各種画像を表示する。また、ＰＣ１３はプロジェクター１１に映像信号用ケーブル等を介して接続され、モニター１４に表示している画像と同じ画像を表示するための画像データを、プロジェクター１１に出力する。
なお、入力画像をプロジェクター１１に供給する画像供給装置としては、ＰＣ１３の他に、ビデオ再生装置、ＤＶＤ再生装置、テレビチューナー装置、ＣＡＴＶのセットトップボックス、ビデオゲーム装置等の映像出力装置、パーソナルコンピューター等が挙げられる。本実施形態ではあくまで一例としてＰＣ１３を用いる場合を説明する。
【００１６】
プロジェクター１１は、ＰＣ１３等の外部の画像供給装置から入力される画像データまたは画像信号に基づいて、スクリーンＳＣに画像を投射する。図１の例では、ＰＣ１３の制御によってモニター１４に表示された画面２０１と同じ内容の投射画像２１１が、スクリーンＳＣ上に投射されている。この図１に例示する画面２０１は文書編集ソフトの作業用の画面であり、編集中の文書が表示されており、スクリーンＳＣにも同一の文書が同態様で表示されている。
スクリーンＳＣはほぼ直立しており、スクリーン面は矩形形状とされている。プロジェクター１１に入力される画像は動画像（映像）と静止画像とのどちらでもよく、プロジェクター１１は映像をスクリーンＳＣに投射することも、静止画像をスクリーンＳＣに投射し続けることも可能である。
また、表示システム１０は、プロジェクター１１を操作する操作デバイスとして、リモコン５を備えている。リモコン５は、プロジェクター１１を操作するユーザーが使用する装置であり、プロジェクター１１との間で赤外線信号や各種無線信号を送受信して、プロジェクター１１に対する指示を行うことができる。
【００１７】
図２は、表示システム１０の機能的構成を示すブロック図である。
この図２に示すように、プロジェクター１１は、外部の装置に接続されるＩ／Ｆ（インターフェース）１０１を備え、このＩ／Ｆ１０１にＰＣ１３が接続されている。例えば、Ｉ／Ｆ１０１は、ＵＳＢインターフェース、有線または無線ＬＡＮインターフェース、アナログ映像信号が入力されるＶＧＡ端子、デジタル映像信号が入力されるＤＶＩ（Digital Visual Interface）、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子、ＨＤＭＩ（登録商標）規格に準拠したＨＤＭＩコネクター等を備え、上記の端子やコネクターを介して信号を入出力するインターフェース回路を備えていてもよい。
【００１８】
図２に示すように、プロジェクター１１は、大きく分けて光学的な画像の形成を行う投射部３（表示手段）と、この投射部３に入力される映像信号を電気的に処理する画像処理系とからなる。投射部３は、照明光学系３１、光変調装置としての液晶パネル３２、及び投射光学系３３から構成されている。照明光学系３１は、キセノンランプ、超高圧水銀ランプ、ＬＥＤ（Light Emitting Diode）等からなる光源を備えている。また、照明光学系３１は、光源が発した光を液晶パネル３２に導くリフレクター及び補助リフレクターを備えていてもよく、投射光の光学特性を高めるためのレンズ群（図示略）、偏光板、或いは光源が発した光の光量を液晶パネル３２に至る経路上で低減させる調光素子等を備えたものであってもよい。
液晶パネル３２は、後述する画像処理系からの信号を受けて、パネル面に画像を形成する。液晶パネル３２は、カラーの投影を行うため、ＲＧＢの三原色に対応した３枚の液晶パネルからなる。そのため、照明光学系３１からの光はＲＧＢの３色の色光に分離され、各色光は対応する各液晶パネルに入射する。各液晶パネルを通過して変調された色光はクロスダイクロイックプリズム等の合成光学系によって合成され、投射光学系３３に射出される。
【００１９】
投射光学系３３は、投射する画像の拡大・縮小および焦点の調整を行うズームレンズ、ズームの度合いを調整するズーム調整用モーター、フォーカスの調整を行うフォーカス調整用モーター等を備えている。投射光学系３３は、液晶パネル３２で変調された入射光を、ズームレンズを用いてスクリーンＳＣ上に投射し、結像させる。
投射部３には、制御部１０３の制御に従って投射光学系３３が備える各モーターを駆動する投射光学系駆動部１２１、及び、制御部１０３の制御に従って照明光学系３１が備える光源を駆動する光源駆動部１１７が接続されている。
【００２０】
画像処理系は、プロジェクター１１全体を統合的に制御する制御部１０３を中心に構成され、制御部１０３が処理するデータや制御部１０３が実行する制御プログラム１０５Ａを記憶した記憶部１０５、操作パネル４５及びリモコン受光部４１を介した操作を検出する入力処理部１２３、入力映像を処理する画像入力部１０７、及び、画像入力部１０７から出力される映像信号に基づいて液晶パネル３２を駆動して描画を行う光変調装置駆動部１１９を備えている。
【００２１】
制御部１０３は、記憶部１０５に記憶された制御プログラム１０５Ａを読み出して実行することにより、プロジェクター１１の各部を制御する。制御部１０３は、入力処理部１２３から入力される操作信号に基づいて、ユーザーが行った操作の内容を検出し、この操作に応じて画像入力部１０７、光変調装置駆動部１１９、投射光学系駆動部１２１及び光源駆動部１１７を制御して、投射部３によりスクリーンＳＣに映像を投射させる。
【００２２】
プロジェクター１１の本体には、ユーザーが操作を行うための各種スイッチ及びインジケーターランプを備えた操作パネル４５が配置されている。操作パネル４５は入力処理部１２３に接続されており、入力処理部１２３は、制御部１０３の制御に従い、プロジェクター１１の動作状態や設定状態に応じて操作パネル４５のインジケーターランプを適宜点灯或いは点滅させる。この操作パネル４５のスイッチが操作されると、操作されたスイッチに対応する操作信号が入力処理部１２３から制御部１０３に出力される。
また、プロジェクター１１は、上述のようにリモコン５を有する。リモコン５は、図２に示すように、プロジェクター１１の電源オン／オフを指示する電源スイッチ５１、及び、メニュー画面の表示や一時停止等を指示する各種の操作子を備えた操作ボタン部５２を有し、操作ボタン部５２には、表示中の画像の一部を維持領域として指定するための機能である「PFreeze」の実行を指示するボタン５３と、上下左右の方向を指示するポインティングデバイスとしての方向指示キー５４とが設けられている。ボタン５３が操作されると、プロジェクター１１は、後述するように維持領域を指示する動作を実行する。また、その後の維持領域を指定するための操作を方向指示キー５４により行うことができ、方向指示キー５４の中央には操作内容を確定するための決定キー５４Ａが配置されている。
【００２３】
リモコン５は、電源スイッチ５１や操作ボタン部５２の各操作子が操作されると、操作された操作子に対応する赤外線信号を送信する。プロジェクター１１の本体に設けられたリモコン受光部４１は、リモコン５から受光した赤外線信号を受光し、デコードして、リモコン５における操作内容を示す操作信号を生成し、制御部１０３に出力する。なお、リモコン５とリモコン受光部４１とは、赤外線信号に限らず、他の近距離無線通信方式を用いて操作信号を送受信する構成としてもよい。また、操作パネル４５は、リモコン５と同等の操作子を備えた構成としてもよい。
【００２４】
Ｉ／Ｆ１０１には、Ｉ／Ｆ１０１を介して入力された画像信号または画像データを取得し、アナログ画像信号かデジタル画像データかの判別、デジタル画像データのデータフォーマットの識別等を行い、後段の画像処理部１０９に画像データとして出力する画像入力部１０７が接続されている。
画像入力部１０７は、外部の画像供給装置からアナログ画像信号が入力された場合に、このアナログ入力信号をＡ／Ｄ変換してデジタル信号を出力する機能や、ＰＣ１３からの入力映像を、液晶パネル３２の仕様に適合した、連続する複数のフレームからなる映像フレームに変換して出力する機能を備えている。
【００２５】
画像処理部１０９は、画像入力部１０７から入力される画像データに基づき、投射部３が投射する１画面分のデータをメモリー１１５に格納し、この１画面分のデータに基づいて表示用の画像データを生成して、光変調装置駆動部１１９に出力する。光変調装置駆動部１１９は、画像処理部１０９から入力される表示用の画像データに基づいて液晶パネル３２を駆動し、液晶パネル３２に画像を描画する。この液晶パネル３２に描画された画像が投射光学系３３を介して、スクリーンＳＣ上に投射画像として投射される。
ＰＣ１３からＩ／Ｆ１０１に入力される画像は、画像入力部１０７の機能により、静止画像であっても動画像であっても数十フレーム／秒のフレームからなる画像データとして画像処理部１０９に入力される。画像処理部１０９は、入力される画像データをフレーム毎にメモリー１１５に展開し、この画像を表示するためのデータをフレーム毎に生成して光変調装置駆動部１１９に出力する。
【００２６】
また、重畳処理部１０９Ａは、後述する重畳制御部１０３Ｃの制御に従って、フレーム記憶部１１５Ｃからフレームのデータを取得し、このフレームのデータから指定された領域を抽出し、抽出した領域を、入力画像のフレームに重畳して、１つの画面に相当するフレームのデータを合成する処理を行う。
画像出力部１０９Ｂは、画像入力部１０７から入力される入力画像または重畳処理部１０９Ａが生成した重畳画像について、液晶パネル３２の表示解像度及びリフレッシュレートに適合するデータに変換して、光変調装置駆動部１１９に出力する。
【００２７】
メモリー１１５は、画像データ等の各種データを一時的に展開し、記憶するメモリーであって、上述した１画面分のデータを記憶する領域の他、維持領域情報記憶部１１５Ａ、重畳画像記憶部１１５Ｂ、及びフレーム記憶部１１５Ｃを備えている。これらはメモリー１１５の記憶領域を仮想的、論理的に区分して設けたものであってもよく、実際にメモリー１１５を複数の領域に分割して、それぞれ維持領域情報記憶部１１５Ａ、重畳画像記憶部１１５Ｂ、及びフレーム記憶部１１５Ｃとして割り当ててもよい。
【００２８】
また、プロジェクター１１は、制御部１０３の制御により画像処理部１０９が処理を実行し、Ｉ／Ｆ１０１を介して入力された入力画像を記憶して、この画像の一部を、後から入力されて表示される画像に重畳して表示する重畳表示機能を備えている。
この重畳表示機能では、最初に、プロジェクター１１がスクリーンＳＣに投射（表示）中の画像に対し、重畳表示する領域（以下、維持領域という）を指定する操作が行われる。プロジェクター１１は、指定された維持領域を検出するとともに、維持領域が指定された際に投射されていたフレームのデータを記憶する。そして、その後に表示するフレームに、維持領域を重ねて重畳画像を生成し、この重畳画像を投射部３によりスクリーンＳＣに投射する。
【００２９】
この機能に関して、制御部１０３は、ＧＵＩ（グラフィカル・ユーザー・インターフェース）を用いた操作を実現するためのＧＵＩ制御部１０３Ａ、ＧＵＩ制御部１０３Ａが実現するＧＵＩの操作によって指示される維持領域の取得および維持領域情報の記憶を制御する維持領域制御部１０３Ｂ、及び、維持領域の画像を入力画像に重畳する処理を制御する重畳制御部１０３Ｃを有する。ＧＵＩ制御部１０３Ａは、リモコン５及び操作パネル４５を指示手段として機能させる。また、重畳制御部１０３Ｃは、重畳処理部１０９Ａとともに重畳処理手段として機能するとともに、光変調装置駆動部１１９及び投射部３を制御して表示制御手段として機能する。
ＧＵＩ制御部１０３Ａは、画像処理部１０９が光変調装置駆動部１１９に出力したデータに基づいて、投射部３がスクリーンＳＣに投射している画像に対するＧＵＩ操作を検出する。
【００３０】
図３は、投射中の画面において維持領域を指示する動作の例を示す図であり、（Ａ）はスクリーン上の投射画像の例を示し、（Ｂ）はスクリーン上の投射画像にポインターが表示されて維持領域の指示が開始された状態を示し、（Ｃ）は維持領域の指示が完了した状態を示す。
図３（Ａ）には、ＰＣ１３から入力される入力画像に基づいてスクリーンＳＣに投射画像２１１を投射した状態を示す。図３に示す投射画像２１１（第１の入力画像）は、図１に示した例と同様に、文書編集ソフトを実行するＰＣ１３から入力される入力画像であって、編集中の文書がオブジェクト２１２として表示されている。
【００３１】
ここで、リモコン５のボタン５３が操作されると、制御部１０３のＧＵＩ制御部１０３Ａが、スクリーンＳＣ上の投射画像に対するＧＵＩ操作を実現する。すなわち、図３（Ｂ）に示すように、投射画像２１１に重ねてポインター２２１を投射させる。このポインター２２１は、ＧＵＩ制御部１０３Ａの制御によって、重畳処理部１０９Ａが表示用の画像データに予め用意されたポインター用の画像を合成することで投射（表示）される。重畳処理部１０９Ａは、必要に応じて、ポインター２２１の画像の拡大／縮小などの処理を行う。ＧＵＩ制御部１０３Ａは、投射画像２１１を構成するオブジェクト２１２やポインター２２１の投射画像２１１における位置、投射画像２１１の解像度、オブジェクト２１２やポインター２２１のスクリーンＳＣ上での位置を保持している。
【００３２】
図３（Ｂ）に示す状態から、維持領域を指定する操作が行われる。ここでは、操作ボタン部５２の操作によって維持領域の指定開始が指示され、リモコン５が有する方向指示キー５４が操作されると、方向指示キー５４の操作に対応して、ＧＵＩ制御部１０３Ａがポインター２２１を移動させるとともに、移動開始位置を基準としてポインター２２１の現在位置に対応する領域２２２が描かれる。このようにポインター２２１を移動させることで、図３（Ｃ）に示す矩形の領域２２２が選択される。
ＧＵＩ制御部１０３Ａは、領域２２２を特定する情報を検出し、維持領域制御部１０３Ｂが、この情報を維持領域情報として維持領域情報記憶部１１５Ａに記憶する。維持領域情報は、領域２２２の解像度、縦方向及び横方向のサイズ（例えば、画素数）、投射画像２１１における位置等を示す情報を含んでいる。
また、維持領域制御部１０３Ｂは、領域２２２が指定された際に表示中であった投射画像２１１のフレームのデータをフレーム記憶部１１５Ｃに記憶させ、このフレームのデータと、維持領域情報記憶部１１５Ａに記憶した維持領域情報とを対応付ける。
【００３３】
ここでは、リモコン５の操作ボタン部５２及び方向指示キー５４の操作に従って、プロジェクター１１がスクリーンＳＣ上のポインター２２１を移動させるＧＵＩにより、維持領域を指定する例について説明した。維持領域の指定の方法は特に限定されず、例えば、プロジェクター１１がカメラ（撮像装置）を備え、このカメラにより撮影した撮影画像データに基づいて、ユーザーの操作により指定された維持領域の位置やサイズを検出してもよい。
【００３４】
また、制御部１０３は、図３に示すように指定された維持領域を入力画像に重畳して重畳画像を表示する重畳制御部１０３Ｃを有する。
図４は、重畳画像を表示する動作の例を示す図であり、（Ａ）はＰＣ１３のモニター１４に表示された画面を示し、（Ｂ）はＰＣ１３からプロジェクターに入力される入力画像の例を示し、（Ｃ）はスクリーンに重畳画像が投射された状態を示す。
【００３５】
例えばＰＣ１３が文書編集ソフトの画面を表示する状態から、表計算ソフトの画面を表示する動作に切り替わると、モニター１４に表示される画像は、画面２０１（図１）から、図４（Ａ）に示す画面２０２（第２の入力画像）に切り替わる。この画面２０２には、表計算ソフトに特有のオブジェクト２０３が表示されている。この場合、ＰＣ１３からプロジェクター１１には、図４（Ｂ）に示す画面２０２が入力される。
【００３６】
ここで、制御部１０３の重畳制御部１０３Ｃは、画像処理部１０９の重畳処理部１０９Ａを制御して、図３（Ａ）〜（Ｃ）に示した手順で指定された維持領域を、画面２０２に重畳する処理を行う。この処理で、重畳制御部１０３Ｃは、維持領域情報記憶部１１５Ａに記憶した維持領域情報を取得する。そして、重畳制御部１０３Ｃの制御に従って、重畳処理部１０９Ａが、維持領域情報に対応するフレーム（画像全体）のデータをフレーム記憶部１１５Ｃから取得し、維持領域の画像データを抽出する。
重畳処理部１０９Ａは、画像入力部１０７から入力された入力画像のフレームを取得し、このフレームに維持領域の画像データを重ねて合成し、一つのフレームの画像データとする。重畳処理部１０９Ａは、生成した重畳画像を一時的に重畳画像記憶部１１５Ｂに展開して処理を行うことができ、画像出力部１０９Ｂは、重畳画像記憶部１１５Ｂに展開された画像データについて、液晶パネル３２の表示解像度及びリフレッシュレートに適合するデータに変換して光変調装置駆動部１１９に出力し、投射部３によりスクリーンＳＣに投射させる。
【００３７】
この投射画像は、図４（Ｃ）に示す重畳画像２１４のように、画面２０２に含まれていたオブジェクト２１５とともに、維持領域２３１が表示されている。維持領域２３１は、図３（Ｃ）において領域２２２で指定された領域である。
この重畳画像２１４では、表計算ソフトの計算結果等が表示されるオブジェクト２１５とともに、文書編集ソフトで処理されていた文書に係るオブジェクト２１２（図３（Ａ））の一部が、維持領域２３１として表示されている。従って、一つの画面に複数のソフトウェアで処理されている複数の情報を表示できる。また、１つのＰＣ１３が過去に出力した画像に含まれる情報と、その後に出力した情報とを、入力系統の切り替え等を行うことなく同時に表示できる。また、重畳画像２１４では、維持領域２３１が、維持領域２３１が指定されたときにスクリーンＳＣに投射されていた投射画像２１１（図３（Ｃ））における維持領域２３１と同じ位置に配置されている。
【００３８】
ところで、図４（Ｃ）に示す重畳画像２１４では、維持領域２３１がオブジェクト２１５に重なっており、オブジェクト２１５の内容の一部が隠れている。この場合、リモコン５の操作により、維持領域２３１を移動させることができる。
図５は重畳画像において維持領域を移動させる動作の例を示す図であり、（Ａ）は移動前の状態を示し、（Ｂ）は移動後の状態を示す。図５（Ａ）の移動前の状態は図４（Ｃ）と同様の状態である。この状態で、リモコン５の操作ボタン部５２の操作により維持領域の移動操作を開始すると、その後の方向指示キー５４の操作によって、維持領域２３１が移動される。この間、ＧＵＩ制御部１０３Ａは、方向指示キー５４の操作量及び操作方向を取得し、取得した情報に基づいて、重畳処理部１０９Ａを制御する。重畳処理部１０９Ａは、フレーム記憶部１１５Ｃ内のフレームのデータから抽出した維持領域の位置を変更して、入力画像のフレームのデータと重ねて合成し、改めて重畳画像データを生成する。この画像を画像出力部１０９Ｂが光変調装置駆動部１１９に出力する。
このようにして維持領域２３１が移動された状態を図５（Ｂ）に示す。維持領域２３１の内容は図５（Ａ）の移動前と変化していないが、移動後はオブジェクト２１５と維持領域２３１とが重ならず、いずれの内容も明りょうに視認できる。
【００３９】
また、プロジェクター１１は、複数の維持領域を入力画像に重畳して表示することも可能である。
図６は、複数の維持領域を重畳して重畳画像を表示する動作の例を示す図であり、（Ａ）は投射画像において維持領域が指示される状態を示し、（Ｂ）は入力画像の例を示し、（Ｃ）は２つの維持領域が重畳された重畳画像がスクリーンに投射された状態を示す。
図６（Ａ）には、図４（Ｂ）に示した画面２０２と同様、ＰＣ１３が表計算ソフトの実行に係る画面の入力画像が入力された場合に、リモコン５の操作によって維持領域が指定される様子を示している。スクリーンＳＣ上の投射画像２１７（第１の入力画像）には、表計算ソフトに係るオブジェクト２１８が表示されており、リモコン５によってポインター２２１が操作され、オブジェクト２１８の一部が領域２２４として指定されている。
【００４０】
ＧＵＩ制御部１０３Ａは領域２２４を特定する情報を検出し、維持領域制御部１０３Ｂが、この情報を維持領域情報として維持領域情報記憶部１１５Ａに記憶する。また、維持領域制御部１０３Ｂは、領域２２４が指定された際に表示中であった投射画像２１７のフレームのデータをフレーム記憶部１１５Ｃに記憶する。
その後、ＰＣ１３からプロジェクター１１に入力される入力画像が変化して、例えば図６（Ｂ）に示すように、画像オブジェクト２０６を含む画面２０５（第２の入力画像）になった場合、重畳制御部１０３Ｃは、この画面２０５のフレームのデータに、今まで指定された維持領域を重畳する処理を行う。
【００４１】
重畳制御部１０３Ｃは、維持領域情報記憶部１１５Ａに記憶された複数の維持領域情報をそれぞれ取得し、維持領域の位置やサイズを取得して、重畳処理部１０９Ａを制御する。重畳処理部１０９Ａは、フレーム記憶部１１５Ｃから、重畳制御部１０３Ｃが取得した複数の維持領域情報にそれぞれ対応する複数のフレームのデータを取得し、各フレームのデータから維持領域を抽出する。これにより複数の維持領域の画像が抽出される。重畳処理部１０９Ａは、抽出した複数の維持領域の画像を、現在の入力画像である画面２０２のフレームのデータに重ねて合成し、重畳画像のデータを生成する。この重畳画像のデータは画像出力部１０９Ｂにより光変調装置駆動部１１９に出力され、このデータに基づく投射画像が、図６（Ｃ）に示すように投射部３によりスクリーンＳＣに投射される。
図６（Ｃ）の重畳画像２１９には、第２の入力画像である画面２０５に含まれていたオブジェクト２０６とともに、維持領域２３１及び維持領域２３２が表示されている。ここで、重畳制御部１０３Ｃは、複数の維持領域を重畳する場合に、各維持領域が互いに重ならないように調整する機能を有する。すなわち、重畳制御部１０３Ｃは、維持領域情報記憶部１１５Ａから複数の維持領域情報を取得した際に、複数の維持領域の位置とサイズに基づいて重複の有無を判定し、維持領域の重複がある場合は、いずれかの維持領域の表示位置を変更する。この変更を一時的なものとする場合は、重畳制御部１０３Ｃは維持領域情報を更新しない。また、複数の維持領域が重ならないよう調整した状態を保持する場合には、重畳制御部１０３Ｃは調整後の表示位置に基づいて、維持領域情報記憶部１１５Ａに記憶されている維持領域情報を更新する。
【００４２】
以上のプロジェクター１１の動作を、フローチャートを参照して説明する。
図７は、プロジェクター１１の動作を示すフローチャートである。
プロジェクター１１の制御部１０３は、リモコン５または操作パネル４５の操作に応じて、画像入力部１０７及び画像処理部１０９を制御して画像の投射を開始する（ステップＳ１１）。制御部１０３は、リモコン５による維持領域を指定する操作が行われない間は（ステップＳ１２；Ｎｏ）、通常の画像の投射を実行する。リモコン５による維持領域を指定する操作が行われると（ステップＳ１２；Ｙｅｓ）、ＧＵＩ制御部１０３Ａは、リモコン５の操作に対応して維持領域の指定に必要なＧＵＩの処理を実行し、指定された維持領域の情報を取得し、維持領域制御部１０３Ｂは、維持領域情報を生成して維持領域情報記憶部１１５Ａに記憶させる（ステップＳ１３）。
続いて、維持領域制御部１０３Ｂは、維持領域が指定される間に表示中であったフレームのデータを取得して、フレーム記憶部１１５Ｃに記憶させる（ステップＳ１４）。
【００４３】
その後、制御部１０３は維持領域の表示を開始し（ステップＳ１５）、重畳制御部１０３Ｃが、維持領域情報記憶部１１５Ａから維持領域情報を取得する（ステップＳ１６）。重畳制御部１０３Ｃは、取得した維持領域情報が複数ある場合に、各維持領域が互いに重ならないように配置を調整する（ステップＳ１７）。なお、各維持領域の表示位置を調整後の状態に固定する場合には、重畳制御部１０３ＣはステップＳ１７で、維持領域情報を更新して維持領域情報記憶部１１５Ａに記憶させる処理を行う。
続いて、重畳制御部１０３Ｃの制御のもと、重畳処理部１０９Ａはフレーム記憶部１１５Ｃからフレームのデータを取得し、各フレームのデータから維持領域を抽出する（ステップＳ１９）。そして、重畳処理部１０９Ａは、入力画像のフレーム維持領域を重畳して、１つのフレームとなるように合成し、重畳画像のデータを生成する（ステップＳ１９）。
【００４４】
ここで、重畳制御部１０３Ｃは、未処理の維持領域情報が維持領域情報記憶部１１５Ａにあるか否かを判別し（ステップＳ２０）、未処理の維持領域情報がある場合は（ステップＳ２０；Ｙｅｓ）、ステップＳ１６に戻る。また、未処理の維持領域情報がない場合は（ステップＳ２０；Ｎｏ）、ステップＳ１９で生成した重畳画像のフレームを投射部３によりスクリーンＳＣに投射する（ステップＳ２１）。
【００４５】
その後、制御部１０３は、リモコン５の操作によって、スクリーンＳＣに投射された重畳画像における維持領域の移動が指示されたか否かを判別し（ステップＳ２２）、移動が指示されなければ（ステップＳ２２；Ｎｏ）、重畳画像の投射を終了するか否かを判別する（ステップＳ２３）。重畳画像の投射を継続する場合（ステップＳ２３；Ｎｏ）、制御部１０３はステップＳ１６に戻り、維持領域を、新たな入力画像に重畳して表示する処理を行う。ここで、制御部１０３は、入力画像のフレームが更新される周期に合わせて維持領域を重畳する処理を行うことが好ましい。すなわち、重畳画像の投射を開始した後は、入力画像の全てのフレームに維持領域が重畳されることが好ましい。このため、制御部１０３は、入力画像のフレームが更新される周期と同じタイミング、またはそれより速い周期でステップＳ１６〜Ｓ２１の処理を繰り返し実行する。
また、リモコン５の操作によって、スクリーンＳＣに投射された重畳画像における維持領域の移動が指示された場合（ステップＳ２２；Ｙｅｓ）、ＧＵＩ制御部１０３Ａは維持領域の移動を指示する操作に基づいて移動後の維持領域の情報を取得し、維持領域制御部１０３Ｂは取得した情報に基づいて維持領域情報記憶部１１５Ａ内の維持領域情報を更新し（ステップＳ２４）、ステップＳ１６に戻る。これにより、更新後の維持領域情報に基づいて重畳画像が生成され、投射される。
【００４６】
また、重畳画像の表示を終了する場合（ステップＳ２３）、制御部１０３は投射を終了するか否かを判別し（ステップＳ２５）、投射を終了しない場合はステップＳ１１に戻り、投射を終了する場合は本処理を終了する。
【００４７】
さらに、プロジェクター１１は、維持領域を入力画像に重畳した重畳画像を合成する際に、維持領域を拡大または縮小することも可能である。また、フレーム記憶部１１５Ｃに記憶したフレームのデータから、リモコン５の操作により維持領域として指定された領域以外を、維持領域として抽出することもできる。つまり、制御部１０３によって、維持領域情報において元のフレームにおける維持領域の位置を示す情報が更新されれば、指定された位置とは異なる位置の領域を、維持領域として抽出できる。これは、維持領域を抽出する元のフレーム全体のデータをフレーム記憶部１１５Ｃに記憶しているために可能となっている。
【００４８】
図８は、維持領域が変更される場合の画面の遷移例を示す図であり、（Ａ）は変更前、（Ｂ）は変更後を示す。
図８（Ａ）においてスクリーンＳＣに表示される重畳画像２１９は、図６（Ｃ）と同じ画像である。入力画像である画面２０５に含まれていたオブジェクト２０６とともに、維持領域２３１及び維持領域２３２が表示されている。重畳画像２１９が表示された状態で、例えばリモコン５によって維持領域を拡大する操作が行われると、スクリーンＳＣに投射される画像は、図８（Ｂ）に示すように変化する。図８（Ｂ）に示す例では維持領域２３２が右方向に拡大され、オブジェクト２０６に重なる位置まで達している。
【００４９】
具体的な操作例を説明すると、例えば、リモコン５のボタン５３が押下されると、この操作に応じて制御部１０３はポインター２２１（図３（Ｂ））を表示させる。この状態で、方向指示キー５４が操作されると、当該操作に応じてＧＵＩ制御部１０３Ａはポインター２２１を移動させる。そして、ポインター２２１が維持領域の上にある状態で決定キー５４Ａが押下されると、ＧＵＩ制御部１０３Ａは画像処理部１０９を制御して、ポインター２２１を維持領域の外枠上の１点である第１の端点（例えば、維持領域が長方形である場合には、維持領域の４つの頂点のうちの左上隅）に移動させる。その後は方向指示キー５４の操作に応じて維持領域の第１の端点（及び第１の端点を通る２辺）が移動され、これに伴い維持領域のサイズが変更される。この操作の間、ＧＵＩ制御部１０３Ａは、維持領域の見かけ上のサイズ、すなわち維持領域の外枠を移動させる表示を行う。
その後、再び決定キー５４Ａが操作されると、ＧＵＩ制御部１０３Ａは、第１の端点とは異なる維持領域の外枠上の１点である第２の端点（例えば、右下隅）にポインター２２１を移動させる。同時に、維持領域制御部１０３Ｂは、決定キー５４Ａが操作されたときの維持領域の第１の端点の位置に基づいて維持領域情報を生成し、維持領域情報記憶部１１５Ａに記憶された維持領域情報を新たに生成された維持領域情報によって更新する。維持領域情報が更新されると、重畳制御部１０３Ｃは、フレーム記憶部１１５Ｃから元のフレームを読み出し、更新された重畳制御部１０３Ｃに基づいて元のフレームを加工することにより、新たに重畳画像を生成して、画像処理部１０９により表示させる。その後、ポインター２２１が第２の端点上にある状態でリモコン５の方向指示キー５４が操作されると、この操作に応じて維持領域の第２の端点（及び第２の端点を通る２辺）が移動され、これに伴い維持領域のサイズが変更される。なお、図８（Ｂ）に示すように、維持領域が変更されたことにより複数の画像が重複する場合、重畳制御部１０３Ｃは、維持領域と他の維持領域またはオブジェクトが重なるように重畳画像を生成してもよい。
【００５０】
図８（Ａ）及び（Ｂ）に示す例では、重畳画像２１９の下部左寄りに配置された維持領域２３２の右端を移動させることで、維持領域２３２が拡大される。この操作に応じて、制御部１０３が維持領域２３２の大きさ及びサイズに関する維持領域情報を更新し、更新後の維持領域情報に基づいて、図８（Ｂ）に示す重畳画像２１９を生成する。
このように、メモリー１１５は、維持領域を抽出する元のフレームを、重畳画像を生成した後もフレーム記憶部１１５Ｃに記憶するので、重畳画像を表示した後に維持領域を変更して、新たな重畳画像を生成できる。このため、指定された維持領域以外の部分を後から表示するなどの処理が可能であり、上記のように、維持領域の位置やサイズを変更することもできる。また、維持領域を変更する操作は、リモコン５を活用することで、維持領域が指定された後あるいは表示された後で、簡単に実行できる。なお、維持領域のサイズを変更せず移動することも、上記と同様の操作及び処理によって実行可能である。
【００５１】
また、指定した維持領域を削除する操作も簡単に行える。
ＧＵＩ制御部１０３Ａは、リモコン５のボタン５３の押下を示すイベントを検出すると、ポインター２２１を表示させる。ポインター２２１の位置が、維持領域情報記憶部１１５Ａに記憶されたいずれかの維持領域情報の表示位置に入っている場合は、制御部１０３は、その維持領域情報に対応する維持領域の削除を実行する。ここで削除されるのは維持領域情報だけであってもよいし、フレーム記憶部１１５Ｃに記憶しているフレームのデータを合わせて削除してもよい。
【００５２】
以上説明したように、本発明を適用した実施形態に係るプロジェクター１１は、入力画像を表示するプロジェクター１１であって、入力画像を表示する投射部３と、投射部３により表示されている第１の入力画像に対して、リモコン５または操作パネル４５の操作により維持領域が指定された場合に、表示中の第１の入力画像のフレーム全体を記憶するフレーム記憶部１１５Ｃと、フレーム記憶部１１５Ｃに記憶された第１の入力画像からリモコン５または操作パネル４５により指定された維持領域を抽出し、抽出した維持領域を画像より後に入力された第２の入力画像に重畳して重畳画像を生成する重畳処理部１０９Ａと、重畳処理部１０９Ａにより生成された重畳画像を投射部３により表示させる制御部１０３とを備えるので、第２の入力画像と、それ以前に表示されていた第１の入力画像の一部とを同時に表示できる。また、維持領域が指定された場合に第１の入力画像のフレーム全体を記憶するので、当該フレームにおいて指定された維持領域以外の部分を後から処理することも容易であり、例えば維持領域の位置や、維持領域の表示位置を変更することも可能である。これにより、入力画像と、その後に表示する入力画像とを同時に表示することができ、表示位置等の表示態様を高い自由度で自在に調整できる。
【００５３】
また、重畳制御部１０３Ｃ及び重畳処理部１０９Ａは、フレーム記憶部１１５Ｃに記憶された第１の入力画像から抽出した維持領域を、リモコン５または操作パネル４５により指定されたときと同じ位置に配置して、第２の入力画像に重畳するので、維持領域を指定したユーザーの意図に沿った画像を表示できる。
また、フレーム記憶部１１５Ｃに記憶された第１の入力画像毎に、リモコン５または操作パネル４５により指定された維持領域の位置を示す維持領域情報を記憶する維持領域情報記憶部１１５Ａを備え、重畳処理部１０９Ａは、維持領域情報記憶部１１５Ａに記憶された維持領域情報に基づいて、フレーム記憶部１１５Ｃに記憶された第１の入力画像のフレームのデータから維持領域を抽出するので、維持領域の位置を容易に特定して抽出することが可能である。また、維持領域情報を変更することにより、記憶した画像から当初は維持領域として指定されなかった領域を維持領域として抽出することも可能であり、より高い自由度で表示態様を調整できる。
さらに、リモコン５または操作パネル４５によって、重畳画像の表示中に維持領域の位置変更を指示可能であり、リモコン５または操作パネル４５の指示に従って維持領域の位置を変更して新たに重畳画像を生成するので、例えば、維持領域により隠れてしまう部分を視認できるように、表示態様を自由に調整できる。
【００５４】
また、フレーム記憶部１１５Ｃは複数の第１の入力画像を記憶可能に構成され、重畳処理部１０９Ａは、フレーム記憶部１１５Ｃに記憶された複数の第１の入力画像から、リモコン５または操作パネル４５により指定された維持領域をそれぞれ抽出し、抽出した複数の維持領域を第２の入力画像に重畳して重畳画像を生成するので、複数の画像から抽出した複数の維持領域を、第２の入力画像に重畳して表示できる。また、複数の第１の入力画像のフレーム全体を記憶するので、各画像において維持領域を変更する等の細かい調整が可能となる。
重畳処理部１０９Ａは、フレーム記憶部１１５Ｃに記憶された複数の第１の入力画像から抽出した複数の維持領域を、互いに重ならないように配置して重畳画像を生成するので、複数の維持領域を、各々の視認性を損なわないように配置して表示できる。
【００５５】
なお、上述した実施形態は本発明を限定するものではなく、上記実施形態とは異なる態様として本発明を適用することも可能である。例えば、上記実施形態では、プロジェクター１１に接続されたＰＣ１３から入力される画像を表示する場合を例に説明したが、プロジェクター１１に複数のＰＣ１３を接続してもよく、他の画像供給装置から入力される画像を表示する場合に本発明を適用してもよい。さらに、本発明の表示装置は、スクリーンＳＣに画像を投射するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示装置に含まれ、入力された画像信号に基づく画像をカラー表示することができる携帯型の表示装置も含まれる。この場合、液晶表示パネル、プラズマディスプレイパネル、有機ＥＬ表示パネルが変調手段に相当する。
【００５６】
例えば、上記実施形態では、光源が発した光を変調する変調手段として、ＲＧＢの各色に対応した３枚の透過型または反射型の液晶パネル３２を用いた構成を例に挙げて説明したが、本発明はこれに限定されるものではなく、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、変調部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
【００５７】
また、上記実施形態において記憶部１０５が記憶していた制御プログラム、及び、画像処理部１０９の各機能の検出結果を図示しない不揮発性メモリーが記憶する構成であってもよいし、可搬型の記録媒体に記憶されている構成であってもよいし、或いは、プロジェクター１１が通信ネットワークを介して接続された他の装置にダウンロード可能に記憶されていてもよい。また、図１に示したプロジェクター１１の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１１の具体的な細部構成について、本発明の趣旨を逸脱しない範囲で任意に変更可能である。
【符号の説明】
【００５８】
３…投射部（表示手段）、１０…表示システム、１１…プロジェクター（表示装置）、１４…モニター、１３…ＰＣ、１０１…Ｉ／Ｆ、１０３…制御部、１０３Ａ…ＧＵＩ制御部、１０３Ｂ…維持領域制御部、１０３Ｃ…重畳制御部（重畳処理手段、表示制御手段）、１０５…記憶部、１０９…画像処理部、１０９Ａ…重畳処理部（重畳処理手段）、１０９Ｂ…画像出力部（表示制御手段）、１１５…メモリー、１１５Ａ…維持領域情報記憶部（維持領域情報記憶手段）、１１５Ｂ…重畳画像記憶部、１１５Ｃ…フレーム記憶部（画像記憶手段）、ＳＣ…スクリーン。
【図１】
2012253543.tif 000003
【図２】
2012253543.tif 000004
【図３】
2012253543.tif 000005
【図４】
2012253543.tif 000006
【図５】
2012253543.tif 000007
【図６】
2012253543.tif 000008
【図７】
2012253543.tif 000009
【図８】
2012253543.tif 000010